(57)【要約】【課題】上り回線において、適切なリソース管理に基づいて通信を行うこと。【解決手段】受信電力計測部１０７は、受信データより受信電力を計測する。送信電力情報抽出部１０６は、受信データに含まれている移動機の個別チャネルの送信電力の情報を抽出する。条件設定部１０８は、受信品質、受信電力及び個別チャネルの送信電力の情報を用いてスケジューリングされた移動機におけるパケットデータの送信パラメータ及び送信電力を算出し、算出した送信パラメータの情報と送信電力指示情報をチャネルコーディング部１１１−１〜１１１−ｎへ出力する。チャネルコーディング部１１１−１〜１１１−ｎは、スケジューリングされた移動機へ通知する送信電力指示情報及び送信パラメータ情報を含む送信データの符号化を行う。【選択図】      図１
2004187247.tif 000002
【特許請求の範囲】
【請求項１】
個別チャネルの受信電力、受信品質及び各通信相手の個別チャネルの送信電力である第１送信電力に基づいてパケットデータを送信する通信相手を割り当てるスケジューリング手段と、前記受信電力、前記受信品質及び前記第１送信電力に基づいて前記通信相手よりパケットデータ送信用のチャネルを用いて送信されるパケットデータの送信電力を決定する送信電力決定手段と、前記受信電力、前記受信品質及び前記第１送信電力に基づいて前記パケットデータの伝送レートに係る送信パラメータを決定する送信パラメータ決定手段と、決定した送信電力で前記パケットデータを送信することを指示する送信電力指示情報と前記送信パラメータの情報とを前記スケジューリング手段により割り当てられた通信相手に通知する通知手段と、を具備することを特徴とする基地局装置。
【請求項２】
前記送信電力指示情報は、前記パケットデータの送信電力を示す情報であることを特徴とする請求項１記載の基地局装置。
【請求項３】
前記送信電力指示情報は、前記個別チャネルの送信電力に対するオフセット値を示す情報であることを特徴とする請求項１記載の基地局装置。
【請求項４】
受信電力を用いて通信相手におけるパケットデータ送信時の個別チャネルの送信電力である第２送信電力を推定する送信電力推定手段を具備し、前記送信電力決定手段は、前記通信相手の送信電力上限値から前記第２送信電力を減算した値の範囲内にてパケットデータの送信に使用可能な送信電力を算出し、前記送信パラメータ決定手段は、前記送信電力決定手段で算出した送信電力で前記パケットデータを所定の品質にて受信できるような送信パラメータを決定することを特徴とする請求項１記載の基地局装置。
【請求項５】
通信相手において前記送信パラメータの情報を含めて送信されたパケットデータを受信して、前記送信パラメータの情報をパイロット信号として復調する復調手段を具備することを特徴とする請求項１から請求項４のいずれかに記載の基地局装置。
【請求項６】
受信データより抽出した通信相手より指示された送信電力を示す送信電力指示情報に基づいてパケットデータ送信用のチャネルにて送信するパケットデータの送信電力を設定する送信電力設定手段と、受信データより抽出したパケットデータの伝送レートに係る送信パラメータの情報に基づいて送信パラメータを設定する送信パラメータ決定手段と、設定した送信電力及び前記送信パラメータにて前記パケットデータを送信する送信手段と、を具備することを特徴とする通信端末装置。
【請求項７】
個別チャネルの送信電力の情報を送信する送信手段と、前記送信パラメータと前記個別チャネルの送信電力のオフセット値との関係を記憶する通信相手と同一の記憶手段とを具備し、前記送信電力決定手段は、前記送信パラメータの情報を用いて前記記憶手段に記憶されている前記送信パラメータに対応する前記オフセット値を前記個別チャネルの送信電力に加算した送信電力を前記パケットデータの送信電力として設定することを特徴とする請求項６記載の通信端末装置。
【請求項８】
前記送信電力設定手段は、前記送信電力指示情報により指示されたパケットデータの送信電力と個別チャネルの送信電力とを加算した送信電力が上限値を越える場合には前記パケットデータの送信電力を前記上限値を超えないように設定し、前記送信パラメータ決定手段は、前記送信電力設定手段にて設定した送信電力で前記パケットデータを送信した場合に通信相手において前記パケットデータを所定の品質にて受信できるような送信パラメータを設定することを特徴とする請求項６記載の通信端末装置。
【請求項９】
前記送信パラメータ情報をパケットデータに挿入する送信パラメータ情報挿入手段と、前記送信電力指示情報により指示されたパケットデータの送信電力と個別チャネルの送信電力とを加算した送信電力が前記上限値以上の場合にはパケットデータを送信しないように制御し、前記送信電力指示情報により指示されたパケットデータの送信電力と個別チャネルの送信電力とを加算した送信電力が前記上限値未満の場合には挿入した前記送信パラメータ情報をパイロット信号とするパケットデータを送信するように制御する送信制御手段と、を具備することを特徴とする請求項６記載の通信端末装置。
【請求項１０】
前記送信電力設定手段は、前記送信電力指示情報により指示されたパケットデータの送信電力と個別チャネルの送信電力とを加算した送信電力が上限値未満の場合には前記上限値を越えないように前記送信電力指示情報により指示された送信電力よりも大きな送信電力を設定し、前記送信パラメータ決定手段は、前記送信電力設定手段にて設定した送信電力で前記パケットデータを送信した場合に通信相手において前記パケットデータを所定の品質にて受信できるような送信パラメータを設定することを特徴とする請求項６記載の通信端末装置。
【請求項１１】
基地局装置において、個別チャネルの受信電力、受信品質及び各通信端末装置の送信電力である第１送信電力に基づいてパケットデータを送信する通信相手を割り当てる工程と、前記受信電力、前記受信品質及び前記第１送信電力に基づいて前記通信端末装置よりパケットデータ送信用のチャネルを用いて送信されるパケットデータの送信電力を決定する工程と、決定した送信電力で前記パケットデータを送信することを指示する送信電力指示情報を割り当てられた通信端末装置に通知する工程と、通信端末装置において、受信データより抽出した前記送信電力指示情報に基づいてパケットデータ送信用のチャネルにて送信するパケットデータの送信電力を設定する工程と、を具備することを特徴とする送信電力設定方法。
【発明の詳細な説明】
【０００１】
【発明の属する技術分野】
本発明は、基地局装置及び通信端末装置に関し、特に上り回線で高速パケット伝送を行うシステムにおいて、通信環境に応じた送信電力により通信を行う基地局装置及び通信端末装置に関する。
【０００２】
【従来の技術】
従来、無線通信システムの分野において、高速大容量な下りチャネルを複数の通信端末装置が共有し、下り回線で高速パケット伝送を行うＨＳＤＰＡ（High Speed Downlink Packet Access）が提案されている（例えば、特許文献１参照。）。
【０００３】
このようなＨＳＤＰＡシステムにおいて、基地局装置は、ＣＱＩ（Channel Quality Indicator）と呼ばれる通信端末装置において復調可能なパケットデータの変調方式及び符号化率を示す信号を通信端末装置から送信してもらう。そして、データを送信する基地局装置は、各ユーザの通信環境に応じた最適な送信電力を設定することにより、適切なリソース管理を行うことができる。
【０００４】
【特許文献１】
特開２０００−１５１６２３号公報
【０００５】
【発明が解決しようとする課題】
しかしながら、従来の基地局装置及び通信端末装置においては、高速でかつ大量のデータは、ＨＳＤＰＡシステムのような下り回線専用のシステムを用いて基地局装置が送信電力を設定して送信するものである。一方、上り回線において、最適な送信電力により高速でかつ大量のデータを送信する場合は、移動機が送信電力を設定して送信するものである。したがって、ＨＳＤＰＡのような下り回線専用のシステムをそのまま上り回線に適用しても、送信電力を設定してパケットデータを送信するのは通信端末装置であるため、基地局装置は、各通信端末装置の送信電力を適切に管理することができず、適切なリソース管理を行うことができないという問題がある。
【０００６】
本発明はかかる点に鑑みてなされたものであり、上り回線において、適切なリソース管理に基づいて通信を行うことができる基地局装置及び通信端末装置を提供することを目的とする。
【０００７】
【課題を解決するための手段】
本発明の基地局装置は、個別チャネルの受信電力、受信品質及び各通信相手の個別チャネルの送信電力である第１送信電力に基づいてパケットデータを送信する通信相手を割り当てるスケジューリング手段と、前記受信電力、前記受信品質及び前記第１送信電力に基づいて前記通信相手よりパケットデータ送信用のチャネルを用いて送信されるパケットデータの送信電力を決定する送信電力決定手段と、前記受信電力、前記受信品質及び前記第１送信電力に基づいて前記パケットデータの伝送レートに係る送信パラメータを決定する送信パラメータ決定手段と、決定した送信電力で前記パケットデータを送信することを指示する送信電力指示情報と前記送信パラメータの情報とを前記スケジューリング手段により割り当てられた通信相手に通知する通知手段と、を具備する構成を採る。
【０００８】
この構成によれば、第１送信電力、受信電力及び受信品質に基づいて、複数の通信相手と通信を行うことにより生じる干渉を考慮した送信電力指示情報を通信相手毎に送信し、各通信相手は送信電力指示情報に基づいて設定した送信電力によりパケットデータを送信することができるので、各ユーザの通信環境に応じた最適な送信電力を設定することができ、上り回線において、適切なリソース管理を行うことができる。
【０００９】
本発明の基地局装置における前記送信電力指示情報は、前記パケットデータの送信電力を示す情報である構成を採る。
【００１０】
この構成によれば、送信電力を示す情報を各通信相手へ送信し、各通信相手は送信電力を示す情報に基づいて送信電力を設定することができるので、通信相手自身が他の通信相手を考慮して送信電力を設定する必要がなく、上り回線において、適切なリソース管理に基づいて通信を行うことができる。
【００１１】
本発明の基地局装置における前記送信電力指示情報は、前記個別チャネルの送信電力に対するオフセット値を示す情報である構成を採る。
【００１２】
この構成によれば、通信相手と通信している個別チャネルの送信電力に対するオフセット値の情報を通信相手に送信するので、送信電力情報を送信する場合に比べ、伝達する値の範囲が狭いため、必要なビット数が少なくなる。
【００１３】
本発明の基地局装置は、受信電力を用いて通信相手におけるパケットデータ送信時の個別チャネルの送信電力である第２送信電力を推定する送信電力推定手段を具備し、前記送信電力決定手段は、前記通信相手の送信電力上限値から前記第２送信電力を減算した値の範囲内にてパケットデータの送信に使用可能な送信電力を算出し、前記送信パラメータ決定手段は、前記送信電力決定手段で算出した送信電力で前記パケットデータを所定の品質にて受信できるような送信パラメータを決定する構成を採る。
【００１４】
この構成によれば、通信相手が実際にパケットデータを送信する時に個別チャネルの送信電力が上昇するか否かを推定し、上昇するものと推定される場合には上昇分を考慮して送信電力及び送信パラメータを決定するので、送信電力制御により個別チャネルの送信電力が上昇した場合でも適切な送信パラメータ及び送信電力を用いて送信されたパケットデータを受信することができ、パケットデータの誤り率特性を向上させることができる。
【００１５】
本発明の基地局装置は、通信相手において前記送信パラメータの情報を含めて送信されたパケットデータを受信して、前記送信パラメータの情報をパイロット信号として復号する復号手段を具備する構成を採る。
【００１６】
この構成によれば、通信相手に指示した送信パラメータの情報を通信相手にてパケットデータに含めて返送してもらうので、送信パラメータの情報をパケットデータの復調の際にパイロット信号とすることができ、また、既知ビットとして符号化で使用すれば、復号の際にそれを利用することが可能である。また、パラメータ情報が、特定の通信相手同士でのみで復号可能な場合は、１または０の単純な配列のパイロット信号ではなくパラメータ情報をパイロット信号にするので、互いに送受信している者以外の第三者が各パケットデータの先頭を検出することが困難になるためにパケットデータを復調することが困難になり、パケットデータの内容を特定の通信相手同士以外の第三者に対して秘匿することができる。
【００１７】
本発明の通信端末装置は、受信データより抽出した通信相手より指示された送信電力を示す送信電力指示情報に基づいてパケットデータ送信用のチャネルにて送信するパケットデータの送信電力を設定する送信電力設定手段と、受信データより抽出したパケットデータの伝送レートに係る送信パラメータの情報に基づいて送信パラメータを設定する送信パラメータ決定手段と、設定した送信電力及び前記送信パラメータにて前記パケットデータを送信する送信手段と、を具備する構成を採る。
【００１８】
この構成によれば、基地局装置から送信された送信電力指示情報に基づいて送信電力を設定することができるので、基地局装置は、複数の通信端末装置と通信を行うことにより生じる干渉分を考慮した送信電力指示情報を通信相手毎に送信し、各通信端末装置は送信電力指示情報に基づいて設定した送信電力によりパケットデータを送信することができるので、上り回線において、適切なリソース管理に基づいて通信を行うことができる。
【００１９】
本発明の通信端末装置は、個別チャネルの送信電力の情報を送信する送信手段と、前記送信パラメータと前記個別チャネルの送信電力のオフセット値との関係を記憶する通信相手と同一の記憶手段とを具備し、前記送信電力決定手段は、前記送信パラメータの情報を用いて前記記憶手段に記憶されている前記送信パラメータに対応する前記オフセット値を前記個別チャネルの送信電力に加算した送信電力を前記パケットデータの送信電力として設定する構成を採る。
【００２０】
この構成によれば、送信パラメータの情報に基づいてパケットデータの送信電力を設定することができるため、送信電力を設定するための専用の情報を送信してもらう必要がなく、伝送効率を向上させることができる。
【００２１】
本発明の通信端末装置は、前記送信電力設定手段は、前記送信電力指示情報により指示されたパケットデータの送信電力と個別チャネルの送信電力とを加算した送信電力が上限値を越える場合には前記パケットデータの送信電力を前記上限値を超えないように設定し、前記送信パラメータ決定手段は、前記送信電力設定手段にて設定した送信電力で前記パケットデータを送信した場合に通信相手において前記パケットデータを所定の品質にて受信できるような送信パラメータを設定する構成を採る。
【００２２】
この構成によれば、パケットデータを送信するための指示された送信電力とその他のチャネルの送信電力の和が上限値以上の場合に、指示された送信電力よりも小さい送信電力にて送信してもパケットデータを誤りなく受信できるように送信パラメータを変更するので、パケットデータの誤り率を低減することができる。
【００２３】
本発明の通信端末装置は、前記送信パラメータ情報をパケットデータに挿入する送信パラメータ情報挿入手段と、前記送信電力指示情報により指示されたパケットデータの送信電力と個別チャネルの送信電力とを加算した送信電力が前記上限値以上の場合にはパケットデータを送信しないように制御し、前記送信電力指示情報により指示されたパケットデータの送信電力と個別チャネルの送信電力とを加算した送信電力が前記上限値未満の場合には挿入した前記送信パラメータ情報をパイロット信号とするパケットデータを送信するように制御する送信制御手段と、を具備する構成を採る。
【００２４】
この構成によれば、指示された送信電力が上限値以上である場合には、パケットデータを送信せず、指示された送信電力に設定できる場合にのみパケットデータを送信するので、パケットデータを受信した際の誤り率を低減することができるとともに、パラメータ情報をパイロットとして送信することで、復調の際のチャネル推定に使用でき、復号する際の既知ビットとしても使用することも可能である。また、パラメータ情報が、特定の通信相手同士でのみで復号可能な場合は、１または０の単純な配列のパイロット信号ではなくパラメータ情報をパイロット信号にするので、互いに送受信している者以外の第三者が各パケットデータの先頭を検出することが困難になるためにパケットデータを復調することが困難になり、パケットデータの内容を特定の通信相手同士以外の第三者に対して秘匿することができる。
【００２５】
本発明の通信端末装置は、前記送信電力設定手段は、前記送信電力指示情報により指示されたパケットデータの送信電力と個別チャネルの送信電力とを加算した送信電力が上限値未満の場合には前記上限値を越えないように前記送信電力指示情報により指示された送信電力よりも大きな送信電力を設定し、前記送信パラメータ決定手段は、前記送信電力設定手段にて設定した送信電力で前記パケットデータを送信した場合に通信相手において前記パケットデータを所定の品質にて受信できるような送信パラメータを設定する構成を採る。
【００２６】
この構成によれば、指示された送信電力が上限値未満の場合に、指示された送信電力よりも大きな送信電力を設定するので、指示された送信パラメータをそのまま用いた場合には、回線品質が急激に変動しても受信側にて誤りなくパケットデータを復調することができるとともに、指示された送信パラメータと異なる送信パラメータを設定する場合には、例えば指示された変調多値数よりも大きな変調多値数の変調方式を選択するかまたは指示された符号化率よりも大きな符号化率を選択することにより、伝送効率を向上させることができる。
【００２７】
本発明の送信電力設定方法は、基地局装置において、個別チャネルの受信電力、受信品質及び各通信端末装置の送信電力である第１送信電力に基づいてパケットデータを送信する通信相手を割り当てる工程と、前記受信電力、前記受信品質及び前記第１送信電力に基づいて前記通信端末装置よりパケットデータ送信用のチャネルを用いて送信されるパケットデータの送信電力を決定する工程と、決定した送信電力で前記パケットデータを送信することを指示する送信電力指示情報を割り当てられた通信端末装置に通知する工程と、通信端末装置において、受信データより抽出した前記送信電力指示情報に基づいてパケットデータ送信用のチャネルにて送信するパケットデータの送信電力を設定する工程と、を具備することである。
【００２８】
この方法によれば、第１送信電力、受信電力及び受信品質に基づいて、複数の通信相手と通信を行うことにより生じる干渉を考慮した送信電力指示情報を通信相手毎に送信し、各通信相手は送信電力指示情報に基づいて設定した送信電力によりパケットデータを送信することができるので、各ユーザの通信環境に応じた最適な送信電力を設定することができ、上り回線において、適切なリソース管理を行うことができる。
【００２９】
【発明の実施の形態】
本発明の骨子は、基地局装置は、受信電力、受信品質及び移動機から送信された送信電力情報等の通信品質関連情報を用いてスケジューリングを行い、受信電力、受信品質及び通信品質関連情報を用いて算出した送信電力情報をスケジューリングされた移動機のみへ送信し、スケジューリングされた各移動機は、受信データより送信電力情報を抽出し、送信電力情報に基づいて送信電力を設定することである。
【００３０】
以下、本発明の実施の形態について、図面を参照して詳細に説明する。
【００３１】
（実施の形態１）
図１は、本実施の形態に係る基地局装置１００の構成を示す図であり、図２は、通信端末装置である移動機２００の構成を示す図であり、図３は、条件設定部１０８の構成を示す図である。
【００３２】
基地局装置１００は、アンテナ１０１、受信無線部１０２、逆拡散部１０３、復調部１０４−１〜１０４−ｎ（ｎは任意の自然数）、チャネルコーディング部１０５−１〜１０５−ｎ、送信電力情報抽出部１０６、受信電力計測部１０７、条件設定部１０８、チャネルコーディング部１１１−１〜１１１−ｎ、変調部１１２−１〜１１２−ｎ、拡散部１１３−１〜１１３−ｎ、送信無線部１１４、受信無線部１１５、逆拡散部１１６、復調部１１７−１〜１１７−ｎ、送信パラメータ抽出部１１９及びチャネルコーディング部１１８−１〜１１８−ｎとから主に構成される。
【００３３】
受信無線部１０２、逆拡散部１０３、復調部１０４−１〜１０４−ｎ及びチャネルコーディング部１０５−１〜１０５−ｎは、個別チャネルの受信データを受信するための受信系列である。
【００３４】
また、受信無線部１１５、逆拡散部１１６、復調部１１７−１〜１１７−ｎ及びチャネルコーディング部１１８−１〜１１８−ｎは、パケットデータを受信するための受信系列である。
【００３５】
移動機２００は、アンテナ２０１、受信無線部２０２、逆拡散部２０３、復調部２０４、チャネルコーディング部２０５、条件設定情報抽出部２０６、送信電力指示情報抽出部２０７、送信電力決定部２０８、チャネルコーディング部２０９、変調部２１０、拡散部２１１、送信無線部２１２、ＴＰＣ抽出部２１３、バッファ２１４、バッファ２１５、チャネルコーディング部２１６、変調部２１７、拡散部２１８、送信電力制御部２１９及び送信無線部２２０とから主に構成される。
【００３６】
また、バッファ２１４、チャネルコーディング部２０９、変調部２１０、拡散部２１１及び送信無線部２１２は、パケットデータを送信するための送信系列である。
【００３７】
また、バッファ２１５、チャネルコーディング部２１６、変調部２１７、拡散部２１８、送信電力制御部２１９及び送信無線部２２０は、個別チャネルの送信データを送信するための送信系列である。
【００３８】
また、移動機２００は、アンテナ２０１、受信無線部２０２、逆拡散部２０３、復調部２０４、チャネルコーディング部２０５、条件設定情報抽出部２０６、送信電力指示情報抽出部２０７、送信電力決定部２０８、チャネルコーディング部２０９、変調部２１０、拡散部２１１及び送信無線部２１２とから主に構成される。
【００３９】
最初に、基地局装置１００の構成について、図１を用いて説明する。受信無線部１０２は、アンテナ１０１にて受信した受信信号に対して、無線周波数からベースバンド周波数へダウンコンバート等の処理を行って逆拡散部１０３へ出力する。
【００４０】
逆拡散部１０３は、受信無線部１０２から入力した受信信号に対して、拡散処理する際に用いた拡散符号と同一の拡散符号を用いて逆拡散処理を施し、復調部１０４−１〜１０４−ｎへ出力する。
【００４１】
復調部１０４−１〜１０４−ｎは、逆拡散部１０３から入力した受信信号を復調してチャネルコーディング部１０５−１〜１０５−ｎ及び受信電力計測部１０７へ出力する。
【００４２】
チャネルコーディング部１０５−１〜１０５−ｎは、復調部１０４−１〜１０４−ｎから入力した受信信号を復号化して移動機毎の受信データをえるとともに、復号化した受信データを送信電力情報抽出部１０６と送信パラメータ抽出部１１９へ出力する。
【００４３】
送信電力情報抽出部１０６は、チャネルコーディング部１０５−１〜１０５−ｎから入力した受信信号から、各移動機の送信電力情報を抽出し、抽出した送信電力情報を条件設定部１０８へ出力する。
【００４４】
受信電力計測部１０７は、復調部１０４−１〜１０４−ｎから入力した復調後の受信信号より受信電力を算出して、算出した受信電力を条件設定部１０８へ出力する。
【００４５】
情報生成手段である条件設定部１０８は、受信電力計測部１０７から入力した受信電力、送信電力情報抽出部１０６から入力した送信電力情報に基づいて、各移動機２００から送信可能な移動局を決めるスケジューリングとスケジューリングされた移動機２００が送信データを生成する時に用いる送信パラメータの決定と各移動機２００の送信電力の算出を行う。そして、条件設定部１０８は、スケジューリング結果を対応する移動局のチャネルコーディング部１１１−１〜１１１−ｎへ出力する。さらに、条件設定部１０８は、算出した送信パラメータ情報をチャネルコーディング部１１１−１〜１１１−ｎへ出力するとともに送信電力の算出結果を送信電力指示情報としてチャネルコーディング部１１１−１〜１１１−ｎへ出力する。送信パラメータ情報は、変調方式及び符号化率の情報であるが、変調方式及び符号化率の情報に限らず、他のパラメータ情報であっても良い。また、ここでは移動局に個別にスケジューリング情報が伝えられているが、共通制御チャネルで送信しても良い。ここでは移動局へ個別に送信電力情報を送信しているが、移動局と送信電力情報とが関連付けされていればどのように送信しても良い。なお、条件設定部１０８の詳細については後述する。
【００４６】
通知手段であるチャネルコーディング部１１１−１〜１１１−ｎは、条件設定部１０８から入力した送信パラメータ情報と送信電力指示情報とを含む送信データを符号化等して変調部１１２−１〜１１２−ｎへ出力する。
【００４７】
変調部１１２−１〜１１２−ｎは、チャネルコーディング部１１１−１〜１１１−ｎから入力した送信データを変調して拡散部１１３−１〜１１３−ｎへ出力する。
【００４８】
拡散部１１３−１〜１１３−ｎは、変調部１１２−１〜１１２−ｎから入力した送信データに対して、拡散符号を用いて拡散処理を施して送信無線部１１４へ出力する。
【００４９】
送信無線部１１４は、拡散部１１３−１〜１１３−ｎから入力した送信データをベースバンド周波数から無線周波数にアップコンバート等の処理を行ってアンテナ１０１より送信する。送信データに含まれる送信電力指示情報は、送信許可が与えられた１つあるいは複数の移動機に対するパケットデータを送信する際の個別の送信電力の情報であり、この送信電力指示情報に基づいて、移動機はパケットデータ送信用のチャネルにてパケットデータを送信する際の送信電力を設定することが可能になる。
【００５０】
受信無線部１１５は、アンテナ１０１にて受信した信パケットデータに対して、無線周波数からベースバンド周波数へダウンコンバート等の処理を行って逆拡散部１１６へ出力する。
【００５１】
逆拡散部１１６は、受信無線部１１５から入力したパケットデータに対して、拡散処理する際に用いた拡散符号と同一の拡散符号を用いて逆拡散処理を施し、復調部１１７−１〜１１７−ｎへ出力する。
【００５２】
復調部１１７−１〜１１７−ｎは、送信パラメータ抽出部１１９から入力した変調方式の情報に基づいて、逆拡散部１１６から入力したパケットデータを復調してチャネルコーディング部１１８−１〜１１８−ｎへ出力する。
【００５３】
チャネルコーディング部１１８−１〜１１８−ｎは、送信パラメータ抽出部１１９から入力した符号化率の情報に基づいて、復調部１１７−１〜１１７−ｎから入力したパケットデータを復号化して移動機毎のパケットデータを得ることができる。
【００５４】
送信パラメータ抽出部１１９は、チャネルコーディング部１０５−１〜１０５−ｎから入力した個別チャネルの受信データより、変調方式及び符号化率等の情報を抽出して、抽出した変調方式の情報を復調部１１７−１〜１１７−ｎへ出力するとともに、抽出した符号化率の情報をチャネルコーディング部１１８−１〜１１８−ｎへ出力する。
【００５５】
次に、基地局装置１００の通信相手である移動機２００の構成について、図２を用いて説明する。受信無線部２０２は、アンテナ２０１にて受信した受信データを無線周波数からベースバンド周波数へダウンコンバート等の処理を行って逆拡散部２０３へ出力する。
【００５６】
逆拡散部２０３は、受信無線部２０２から入力した受信データに対して、拡散処理した際に用いた拡散符号と同一の拡散符号を用いて逆拡散処理を施して復調部２０４へ出力する。
【００５７】
復調部２０４は、逆拡散部２０３から入力した受信データを復調してチャネルコーディング部２０５へ出力する。
【００５８】
チャネルコーディング部２０５は、復調部２０４から入力した受信データに対して符号化等の処理を施して、送信電力指示情報抽出部２０７及び条件設定情報抽出部２０６へ出力する。
【００５９】
条件設定情報抽出部２０６は、チャネルコーディング部２０５から入力した受信データから送信パラメータ情報を抽出し、抽出した送信パラメータ情報をチャネルコーディング部２０９及び変調部２１０へ出力する。
【００６０】
抽出手段である送信電力指示情報抽出部２０７は、チャネルコーディング部２０５から入力した受信データより送信電力情報を抽出して送信電力決定部２０８へ出力する。
【００６１】
送信電力設定手段である送信電力決定部２０８は、送信電力指示情報抽出部２０７から入力された送信電力情報に基づいてパケットデータを送信するチャネルの送信電力を決定し、決定した送信電力を送信無線部２１２へ出力する。
【００６２】
チャネルコーディング部２０９は、条件設定情報抽出部２０６から入力した送信パラメータ情報の符号化率の情報に基づいて、パケットデータを符号化して変調部２１０へ出力する。
【００６３】
変調部２１０は、条件設定情報抽出部２０６から入力された送信パラメータ情報の変調方式の情報に基づいて、チャネルコーディング部２０９から入力したパケットデータを変調して拡散部２１１へ出力する。
【００６４】
拡散部２１１は、変調部２１０から入力したパケットデータに対して、所定の拡散符号を用いて拡散処理を施して送信無線部２１２へ出力する。
【００６５】
送信手段である送信無線部２１２は、拡散部２１１から入力したパケットデータに対して、ベースバンド周波数から無線周波数へアップコンバート等の処理を施してアンテナ２０１より送信する。
【００６６】
ＴＰＣ抽出部２１３は、チャネルコーディング部２０５から入力した受信データからＴＰＣ情報を抽出して、送信電力制御部２１９へ出力する。ＴＰＣ情報は、移動機２００にて送信電力制御を行うために基地局装置から通知される情報である。
【００６７】
バッファ２１４は、パケットデータを一時的に蓄積して所定の送信タイミングにてチャネルコーディング部２０９へ出力する。
【００６８】
バッファ２１５は、個別チャネルの送信データを一時的に蓄積して、所定の送信タイミングにてチャネルコーディング部２１６へ出力する。
【００６９】
チャネルコーディング部２１６は、バッファ２１５から入力した送信データと送信電力制御部２１９から入力した送信電力情報を符号化して変調部２１７へ出力する。
【００７０】
変調部２１７は、チャネルコーディング部２１６から入力した送信データを変調して拡散部２１８へ出力する。
【００７１】
拡散部２１８は、変調部２１７から入力した送信データを拡散処理して送信無線部２２０へ出力する。
【００７２】
送信電力制御部２１９は、ＴＰＣ抽出部２１３から入力した送信電力制御用コマンドに基づいて、個別チャネルの送信データを送信する際の送信電力を制御するために送信無線部２２０に含まれるアンプを制御する。また、送信電力制御部２１９は、送信電力制御により設定した送信電力の情報を送信電力情報としてチャネルコーディング部２１６へ出力する。
【００７３】
送信無線部２２０は、拡散部２１８から入力した送信データをベースバンド周波数から無線周波数へのアップコンバート等の処理をして、送信電力制御部２１９によって制御された送信電力にてアンテナ２０１より個別チャネルの送信データを送信する。
【００７４】
次に、条件設定部１０８の詳細について、図３を用いて説明する。条件設定部１０８は、ＳＩＲ算出部３０２、スケジューリング部３０３、送信パラメータ決定部３０４及び送信電力算出部３０５とから主に構成される。
【００７５】
ＳＩＲ算出部３０２は、受信電力計測部１０７より入力した全移動機の受信電力から干渉量を算出する。干渉量は、送信電力指示情報生成対象の移動機２００以外の移動機２００における受信電力である。
【００７６】
ＳＩＲ算出部３０２は、算出した干渉量と受信電力計測部１０７から入力した送信電力情報生成対象の移動機２００の受信電力とを用いて受信品質であるＳＩＲ（Signal to Interference Ratio）を算出し、算出したＳＩＲを送信電力算出部３０５及び送信パラメータ決定部３０４へ出力する。
【００７７】
スケジューリング部３０３は、送信電力情報抽出部１０６から入力した送信電力情報及び受信電力計測部１０７から入力した受信電力を用いてリソースの状況に応じたスケジューリングを行い、スケジューリングの結果を送信パラメータ決定部３０４、チャネルコーディング部１１１−１〜１１１−ｎ及び送信電力算出部３０５へ出力する。
【００７８】
即ち、スケジューリング部３０３は、送信電力情報抽出部１０６より入力した各移動機の個別チャネルの送信電力と受信電力計測部１０７より入力した受信電力とを用いて、個別チャネルの送信電力のレベルに対して受信電力のレベルの低下が少ない移動機における伝搬環境が良好であるものと判断し、伝搬環境の良好な移動機がパケットデータ送信用のチャネルにて優先的にパケットデータを送信するようにスケジューリングを行う。さらに、スケジューリング部３０３は、送信電力算出部３０５から入力した各移動機へ指示する送信電力情報に基づいて、基地局装置１００における受信電力の上限値を超えない範囲内にて割り当てられる移動機２００がどれくらいあるのかを判断しながらパケットデータの送信を許可する移動機の割り当てを行う。
【００７９】
送信パラメータ決定部３０４は、スケジューリング部３０３から入力したスケジューリング結果、送信電力情報抽出部１０６から入力した送信電力情報及びＳＩＲ算出部３０２から入力したＳＩＲに基づいて、スケジューリングされた移動機２００に対する送信パラメータを決定する。
【００８０】
即ち、送信パラメータ決定部３０４は、送信電力情報抽出部１０６から入力した個別チャネルの送信電力と各移動機２００における送信電力の上限値とを用いてパケットデータの送信電力の上限値を求める。そして、送信パラメータ決定部３０４は、パケットデータの送信電力の上限値を超えない範囲にてパケットデータの送信電力を用いて干渉量が変化しないとした場合のパケットデータのＳＩＲを求める。送信パラメータ決定部３０４は、パケットデータのＳＩＲと送信パラメータとの参照テーブルを用いて求めたパケットデータのＳＩＲより送信パラメータを決定し、決定した送信パラメータの情報を送信電力算出部３０５へ出力する。
【００８１】
送信電力算出部３０５は、送信パラメータ情報とスケジューリング情報及びＳＩＲ算出部３０２から入力したＳＩＲに基づいて、スケジューリングされた移動機２００におけるパケットデータ送信用のチャネルを用いて送信するパケットデータの送信電力を算出し、算出した送信電力を送信電力指示情報としてチャネルコーディング部１１１−１〜１１１−ｎとスケジューリング部３０３へ出力する。
【００８２】
即ち、送信電力算出部３０５は、送信パラメータとパケットデータのＳＩＲとの参照テーブルを用いて送信パラメータ決定部３０４から入力した送信パラメータの情報より、パケットデータの所要ＳＩＲを求める。送信電力算出部３０５は、ＳＩＲ算出部３０２から入力した個別チャネルのＳＩＲと求めたパケットデータの所要ＳＩＲとを比較して、パケットデータの送信電力は個別チャネルの送信電力に対して何ｄＢ不足しているかのオフセット値を計算して、送信電力情報抽出部１０６から入力した個別チャネルの送信電力に計算したオフセット値を加算してパケットデータの送信電力を決定する。そして、送信電力算出部３０５は、求めたパケットデータの送信電力を送信電力指示情報としてチャネルコーディング部１１１−１〜１１１−ｎとスケジューリング部３０３へ出力する。
【００８３】
次に、基地局装置１００及び移動機２００の動作について、図１、図２及び図４を用いて説明する。図４において、移動局Ａ及び移動局Ｂは移動機２００と同一構成である。図４より、移動局Ａ及び移動局Ｂは、個別制御チャネルの送信電力情報を含む送信データをチャネルコーディング部２０９にて符号化し、変調部２１０にて変調し、拡散部２１１にて拡散処理し、送信無線部２１２にてベースバンド周波数から無線周波数へアップコンバート等の処理を施してアンテナ２０１から移動局Ａは信号Ｓ１を送信し、移動局Ｂは信号Ｓ２を送信する。
【００８４】
基地局装置１００は、アンテナ１０１にて受信した個別チャネルの信号Ｓ１及び信号Ｓ２を受信無線部１０２にて無線周波数からベースバンド周波数へダウンコンバート等の処理し、逆拡散部１０３にて逆拡散処理し、復調部１０４−１〜１０４−ｎにて復調し、チャネルコーディング部１０５−１〜１０５−ｎにて復号化し、送信電力情報抽出部１０６にて送信電力情報を抽出して条件設定部１０８へ出力する。復調部１０４−１〜１０４−ｎにて復調された受信信号は、受信電力計測部１０７へ出力され、受信電力計測部１０７にて基地局装置１００における受信電力が測定されて条件設定部１０８へ出力される。
【００８５】
条件設定部１０８は、受信電力及び送信電力情報に基づいて、スケジューリングを行い、移動局Ａ及び移動局Ｂの送信パラメータの算出及び移動局Ａ及び移動局Ｂのパケットデータの送信電力の算出を行う。そして、条件設定部１０８は、スケジューリング結果に基づいてチャネルコーディング部１１１−１〜１１１−ｎを制御するとともに、算出したパケットデータの送信電力の情報をチャネルコーディング部１１１−１〜１１１−ｎへ出力する。例として、移動局Ａがスケジューリングされた場合、移動局Ａにスケジューリングされたことを示す信号を送信し、移動局Ｂにはスケジューリングされたことを示す信号は送信されない。
【００８６】
チャネルコーディング部１１１−１〜１１１−ｎにて条件設定部１０８から入力した送信電力指示情報と条件設定部１０８から入力した送信パラメータ情報とを含む送信データは符号化され、変調部１１２−１〜１１２−ｎにて変調され、拡散部１１３−１〜１１３−ｎにて拡散処理され、送信無線部１１４にてベースバンド周波数から無線周波数へアップコンバートされてアンテナ１０１から信号Ｓ３として移動局Ａへ送信される。なお、上記は、基地局装置１００は、個別チャネルにて送信電力指示情報を送信することとしたが、共通制御チャネルで送信する場合には、移動局Ａのみが正しく復号できるように信号Ｓ３を処理する。
【００８７】
基地局装置１００から送信された信号Ｓ３を受信した移動局Ａは、信号Ｓ３を受信無線部２０２にて無線周波数からベースバンド周波数へダウンコンバートし、逆拡散部２０３にて逆拡散処理し、復調部２０４にて復調処理し、チャネルコーディング部２０５にて復号化して受信データを得る。チャネルコーディング部２０５にて復号化された受信データは、条件設定情報抽出部２０６へ出力される。
【００８８】
送信電力指示情報抽出部２０７に入力した受信データは、送信電力指示情報抽出部２０７にて基地局装置１００から送られてきた送信電力情報を抽出される。送信電力決定部２０８は、抽出した送信電力情報に基づいて送信電力を決定し、決定した送信電力を送信無線部２１２へ出力する。
【００８９】
一方、条件設定情報抽出部２０６は、受信データより送信パラメータの情報を抽出する。そして、抽出された送信パラメータ情報は、チャネルコーディング部２０９及び変調部２１０へ出力される。チャネルコーディング部２０９に入力したパケットデータは、送信パラメータ情報に基づいて、チャネルコーディング部２０９で符号化等される。送信電力制御されている個別制御チャネルの送信電力情報はチャネルコーディング部２１６へ入力され、チャネルコーディング部２１６にて所定の符号化等の処理が行われる。
【００９０】
変調部２１０に入力したパケットデータは、条件設定情報抽出部２０６から変調部２１０へ入力した送信パラメータ情報の変調方式の情報に基づいて変調される。拡散部２１１に入力したパケットデータは拡散処理され、送信無線部２１２にてベースバンド周波数から無線周波数にアップコンバート等の処理を施されるとともに、送信電力決定部２０８から入力した送信電力にてアンテナ２０１より送信される。
【００９１】
移動局Ａより送信されたパケットデータを受信した基地局装置１００は、受信無線部１１５にて無線周波数からベースバンド周波数へダウンコンバート等の処理を施され、逆拡散部１１６にて逆拡散処理され、復調部１１７−１〜１１７−ｎにて復調処理され、チャネルコーディング部１１８−１〜１１８−ｎにて復号化されてパケットデータが得られる。基地局装置１００にて得られたパケットデータは、通信環境に応じて移動局Ａにて適応変調及び符号化されているため、基地強装置１００にて誤りな復号することができる。
【００９２】
移動局Ａは、信号Ｓ３を受信する限りは、通信品質に応じた変調方式や符号化率でデータを基地局装置１００に対して送信することができる。一方、移動局Ｂは、基地局装置１００から信号Ｓ３に相当する自分宛ての信号を受け取っていないため、信号Ｓ３に相当する自分宛ての信号が基地局装置１００から送られてくるまでデータに関しては送信待機の状態になる。
【００９３】
移動機から基地局装置へ送信される送信電力情報等は、移動機から基地局装置へ送信するデータの有無に関わらず所定のタイミングで送信される。
【００９４】
このように、本実施の形態の基地局装置及び通信端末装置によれば、基地局装置は、通信端末装置から送られてきた送信電力情報、受信電力及び受信品質を用いてパケットデータの送信電力を決定し、決定した送信電力を送信電力指示情報として通信端末装置へ送信し、通信端末装置が送信電力指示情報に基づいてパケットデータの送信電力を設定するので、上り回線において通信品質に応じて適切な送信レートで通信することができ、適切なリソース管理に基づいて通信を行うことができる。また、基地局装置側にて各移動機に対する送信電力指示情報を作成し、移動機は送信電力指示情報に基づいてパケットデータの送信電力を設定するので、基地局装置がパケットデータ送信用のチャネルを用いて複数の移動機と通信を行っている場合に各移動機が他の移動機による干渉分を考慮することなくパケットデータの送信電力を設定することができ、また基地局装置は、移動機のパケットデータの送信電力を制御することにより、全体の受信電力を調整することが可能であり、無線リソースを有効に使用することが可能である。
【００９５】
（実施の形態２）
図５は、本実施の形態２に係る基地局装置５００の構成を示す図であり、図６は、本実施の形態２に係る通信端末装置である移動機６００であり、図７は、条件設定部５０３の構成を示す図である。
【００９６】
本実施の形態においては、基地局装置５００にて移動機の現在の送信電力に対するオフセット値を求め、求めたオフセット値を用いて移動機６００にて送信電力を設定する点を特徴とするものである。本実施の形態においては、図５において通信品質関連情報抽出部５０１を設ける構成が図１と相違しており、図６において送信電力オフセット値情報抽出部６０１及び通信品質関連情報生成部６０４を設ける構成が図２と相違しており、図７においてオフセット値算出部７０１を設ける構成が図３と相違している。なお、図１、図２及び図３と同一構成の部分は同一の符号を付してその説明を省略する。
【００９７】
最初に基地局装置５００の構成について、図５を用いて説明する。通信品質情報抽出手段である通信品質関連情報抽出部５０１は、チャネルコーディング部１０５−１〜１０５−ｎから入力した受信データより通信品質関連情報を抽出し、抽出した通信品質関連情報を条件設定部５０３へ出力する。ここで、通信品質関連情報とは、移動機６００の個別制御チャネルの送信電力情報、移動機６００の許容最大送信電力（上限値）と個別チャネルの送信電力との差（以下「残り送信電力」と記載する）あるいは残り送信電力と個別チャネルの送信電力との比等である。
【００９８】
情報生成手段である条件設定部５０３は、通信品質関連情報抽出部５０１から入力した通信品質関連情報及び受信電力計測部１０７から入力した受信電力を用いて、スケジューリング、送信パラメータの算出及びパケットデータ送信用のチャネルを用いて送信されるパケットデータの送信電力の算出を行う。そして、条件設定部５０３は、パケットデータの送信電力を決定した後に個別チャネルの送信電力とパケットデータの送信電力のオフセット値を求め、求めたオフセット値をオフセット値情報としてチャネルコーディング部１１１−１〜１１１−ｎへ出力する。パケットデータの送信電力は、残り送信電力を越えない範囲に設定されるように考慮して算出される。
【００９９】
次に、基地局装置５００の通信相手である移動機６００の構成について、図６を用いて説明する。抽出手段である送信電力オフセット値情報抽出部６０１は、チャネルコーディング部２０５から入力した受信データよりオフセット値の情報を抽出し、抽出したオフセット値の情報を送信電力決定部６０３へ出力する。
【０１００】
送信電力制御部２１９は、基地局装置５００へ送信する個別制御チャネルの送信電力情報を通信品質関連情報生成部６０４と送信電力決定部６０３へ出力する。
【０１０１】
送信電力設定手段である送信電力決定部６０３は、送信電力オフセット値情報抽出部６０１から入力したオフセット値情報及び送信電力制御部２１９から入力した送信電力情報に基づいて、送信電力を決定する。即ち、送信電力決定部６０３は、送信電力制御部２１９から入力した個別制御チャネルの送信電力情報として基地局装置５００へ通知した送信電力に送信電力オフセット値情報抽出部６０１から入力したオフセット値を加算した送信電力をパケットデータ送信用のチャネルを用いて送信するパケットデータの送信電力として設定する。そして、送信電力決定部６０３は、設定した送信電力にてパケットデータが送信されるように送信無線部２１２を制御する。
【０１０２】
通信品質関連情報生成部６０４は、送信電力制御部２１９から入力した個別制御チャネルの送信電力の情報及び送信電力の最大値である許容最大送信電力情報に基づいて、通信品質関連情報を生成してチャネルコーディング部２１６へ出力する。
【０１０３】
チャネルコーディング部２０９は、送信データと通信品質関連情報生成部６０４から入力した通信品質関連情報に対して、条件設定情報抽出部２０６から入力した送信パラメータ情報に含まれる符号化率の情報に基づいて符号化処理を施して、変調部２１０へ出力する。
【０１０４】
チャネルコーディング部２１６は、バッファ２１５から入力した個別チャネルの送信データ、送信電力制御部２１９から入力した個別制御チャネルの送信電力情報及び通信品質関連情報生成部６０４から入力した残り送信電力の情報を符号化して変調部２１７へ出力する。
【０１０５】
次に、条件設定部５０３の詳細について、図７を用いて説明する。オフセット値算出部７０１は、送信パラメータ情報とスケジューリング情報及びＳＩＲ算出部３０２から入力したＳＩＲに基づいて、スケジューリングされた移動機６００におけるパケットデータの送信電力を設定する。そして、オフセッチ値算出部７０１は、算出したパケットデータの送信電力と移動機から通知された個別チャネルの送信電力とのオフセット値を求め、求めたオフセット値をオフセット値情報としてチャネルコーディング部１１１−１〜１１１−ｎへ出力する。オフセット値算出部７０１は、通信品質関連情報抽出部５０１から入力した残り送信電力情報に基づいて、移動機６００毎に設定できる最大の送信電力以上に送信電力が設定されないようにする。そして、この際に求めたパケットデータの送信電力の情報は、スケジューリング部３０３へも出力されてスケジューリングの際に考慮される。
【０１０６】
オフセット値算出部７０１は、送信パラメータとパケットデータのＳＩＲとの参照テーブルを用いて送信パラメータ決定部３０４から入力した送信パラメータの情報より、パケットデータの所要ＳＩＲを求める。送信電力算出部３０５は、ＳＩＲ算出部３０２から入力した個別チャネルのＳＩＲと求めたパケットデータの所要ＳＩＲとを比較して、パケットデータの送信電力は個別チャネルの送信電力に対して何ｄＢ不足しているかのオフセット値を計算して、送信電力情報抽出部１０６から入力した個別チャネルの送信電力に計算したオフセット値を加算してパケットデータの送信電力を決定する。そして、送信電力算出部３０５は、求めたパケットデータの送信電力を送信電力指示情報としてスケジューリング部３０３へ出力する。一方、オフセット値算出部７０１は、求めたオフセット値の情報をチャネルコーディング部１１１−１〜１１１−ｎへ出力する。
【０１０７】
次に、基地局装置５００及び移動機６００の動作について、図４を用いて説明する。移動局Ａ及び移動局Ｂは、通信品質関連情報を含む信号Ｓ１及び信号Ｓ２を基地局装置５００へ送信する。通信品質関連情報を含む信号Ｓ１及び信号Ｓ２を受信した基地局装置５００は、通信品質関連情報、受信電力及び受信品質より個別チャネルの送信電力とパケットデータの送信電力とのオフセット値を決定し、決定したオフセット値をオフセット値情報として送信データに含めて信号Ｓ３として移動局Ａ及び移動局Ｂへ送信する。
【０１０８】
オフセット値情報を受信した移動局Ａは、基地局装置５００へ通知した個別チャネルの送信電力にオフセット値を加算した送信電力をパケットデータの送信電力として設定し、決定した送信電力にてパケットデータを送信する。一方、移動局Ｂは、基地局装置５００から信号Ｓ３に相当する自分宛ての信号を受け取っていないため、信号Ｓ３に相当する自分宛ての信号が基地局装置５００から送られてくるまでデータに関しては送信待機の状態になる。
【０１０９】
このように、本実施の形態の基地局装置及び通信端末装置によれば、基地局装置は、通信端末装置から送られてきた送信電力情報、受信電力及び受信品質を用いて個別チャネルのデータの送信電力とパケットデータの送信電力とのオフセット値を算出し、算出したオフセット値情報を通信端末装置へ送信し、通信端末装置は、基地局装置へ通知した個別チャネルのデータの送信電力にオフセット値情報により指示されたオフセット値を加算してパケットデータの送信電力を設定するので、上り回線において、適切なリソース管理に基づいて通信を行うことができる。また、移動機６００の現在の送信電力に対するオフセット値を示す情報を通信相手に送信するので、送信電力情報を送信する場合に比べ、伝達する値の範囲が狭いため、必要なビット数が少なくなる。また、基地局装置へ通知した個別チャネルのデータの送信電力とオフセット値を示す情報に基づいてパケットデータの送信電力を設定するので、オフセット値分だけ個別チャネルのデータの送信電力に加えてパケットデータの送信電力とすれば良いため、パケットデータの送信電力を容易に設定することができる。
【０１１０】
（実施の形態３）
図８は、本実施の形態３に係る基地局装置８００の構成を示す図であり、図９は、本実施の形態３に係る通信端末装置である移動機９００の構成を示す図であり、図１０は、本実施の形態３に係る条件設定部８０４の構成を示す図である。本実施の形態においては、基地局装置８００から送信された送信パラメータ情報に基づいて移動機９００にて送信電力を設定する点を特徴とするものである。
【０１１１】
本実施の形態においては、図８において通信品質関連情報抽出部８０１及びオフセット値設定部８０３を設ける構成が図１と相違しており、図９において送信電力オフセット値情報抽出部９０１及び送信電力情報抽出部９０２を設ける構成が図２と相違しており、図１０において受信電力推定部１００１を設ける構成が図３と相違している。なお、図１、図２及び図３と同一構成の部分は同一の符号を付してその説明を省略する。
【０１１２】
最初に、基地局装置８００の構成について説明する。
【０１１３】
通信品質関連情報抽出部８０１は、チャネルコーディング部１０５−１〜１０５−ｎから入力した受信データより、移動機９００の送信電力あるいは移動機９００の残り送信電力あるいは残り送信電力と個別チャネルの送信電力との比等の通信品質情報である通信品質関連情報を抽出し、抽出した通信品質関連情報を条件設定部８０４へ出力する。
【０１１４】
オフセット値設定部８０３は、送信パラメータ情報に応じた個別チャネルのデータの送信電力に対するオフセット値を記憶しており、条件設定部８０４にて設定される送信パラメータ情報に応じたオフセット値を条件設定部８０４へ出力する。なお、オフセット値設定部８０３は、送信パラメータ情報に応じた送信電力に対するオフセット値を記憶する場合に限らず、所定の数式により演算してオフセット値を求めるようにしても良い。この場合には、同一の数式を移動機９００側でも記憶しており、同一の送信パラメータから同一のオフセット値を求めることができる。
【０１１５】
情報生成手段である条件設定部８０４は、通信品質関連情報抽出部８０１から入力した通信品質関連情報及び受信電力計測部１０７から入力した受信電力を用いて、スケジューリング及び送信電力指示情報である送信パラメータの算出を行う。そして、条件設定部８０４は、設定した送信パラメータの情報をオフセット値設定部８０３へ出力して設定した送信パラメータに対応する個別チャネルのデータの送信電力に対するオフセット値を求め、求めたオフセット値と受信電力とを用いて現在設定されている送信パラメータにて変調及び符号化したパケットデータを受信した場合の受信電力を推定する。そして、条件設定部８０４は、推定した受信電力がしきい値未満である場合には、再度送信パラメータを設定し、推定した受信電力がしきい値以上になるまでこの動作を繰り返す。条件設定部８０４は、このようにして算出した送信パラメータ情報及びスケジューリング情報をスケジューリングされた移動機９００のチャネルコーディング部１１１−１〜１１１−ｎへ出力する。
【０１１６】
次に、基地局装置８００の通信相手である移動機９００の構成について、図９を用いて説明する。抽出手段である条件設定情報抽出部２０６は、受信データに基地局装置８００への送信を許可する許可信号が含まれているか否かを判定する。そして、許可信号が含まれている場合には、条件設定情報抽出部２０６は、チャネルコーディング部２０５から入力した受信データから送信パラメータ情報を抽出し、抽出した送信パラメータ情報をチャネルコーディング部２０９、変調部２１０及び送信電力オフセット値情報抽出部９０１へ出力する。
【０１１７】
送信電力オフセット値情報抽出部９０１は、条件設定情報抽出部２０６から入力した送信パラメータ情報よりあらかじめ設定しておいた個別チャネルのデータの送信電力とパケットデータの送信電力とのオフセット値を選択し、選択したオフセット値を送信電力決定部９０３へ出力する。送信パラメータは、送信電力オフセット値情報抽出部９０１と基地局装置８００のオフセット値設定部８０３とにおいて、同一の送信パラメータが入力されれば、送信電力オフセット値情報抽出部９０１とオフセット値設定部８０３において同一のオフセット値が出力される。なお、送信電力オフセット値情報抽出部９０１は、送信パラメータに応じた送信電力に対するオフセット値を記憶する場合に限らず、所定の数式により演算してオフセット値を求めるようにしても良い。この場合には、同一の数式を基地局装置８００側でも記憶しており、同一の送信パラメータから同一のオフセット値を求めることができる。
【０１１８】
送信電力設定手段である送信電力決定部９０３は、送信電力オフセット値情報抽出部９０１から入力したオフセット値と送信電力制御部２１９から入力した基地局装置８００へ通知した個別チャネルのデータの送信電力情報とよりパケットデータの送信電力を決定し、決定した送信電力にてパケットデータが送信されるように送信無線部２１２を制御する。これにより、移動機９００は、通信品質関連情報に応じた送信パラメータ情報に基づいて、送信電力を設定することができる。
【０１１９】
次に、条件設定部８０４の構成の詳細について、図１０を用いて説明する。
【０１２０】
送信パラメータ決定部３０４は、ＳＩＲ算出部３０２から入力したＳＩＲとしきい値とを比較する。比較の結果、ＳＩＲがしきい値以上の場合は、品質が良好であるため、送信パラメータを変更せずに現在の送信パラメータ情報をチャネルコーディング部１１１−１〜１１１−ｎ及びオフセット値設定部８０３へ出力する。一方、比較の結果、ＳＩＲがしきい値未満の場合は、品質が劣化しているため、ＳＩＲがしきい値以上になるようにオフセット値設定部８０３のオフセット値を参照し、参照したオフセット値に基づいて受信電力推定部１００１にて受信電力を推定し、推定した受信電力を必要に応じて用いて送信パラメータを決定し、決定した送信パラメータを送信パラメータ情報としてチャネルコーディング部１１１−１〜１１１−ｎ及びオフセット値設定部８０３へ出力する。このように、送信パラメータ決定部３０４は、受信電力推定部１００１から入力した推定した受信電力を用いて算出したＳＩＲがしきい値以上になるまで繰り返し送信パラメータを設定し直す。
【０１２１】
受信電力推定部１００１は、オフセット値設定部８０３より入力した個別チャネルのデータの送信電力とパケットデータの送信電力とのオフセット値と受信電力計測部１０７より入力した受信電力から受信電力を推定し、推定した受信電力を送信パラメータ決定部３０４とスケジューリング部３０３へ出力する。
【０１２２】
通信品質関連情報生成部９０４は、送信電力情報及び許容最大送信電力情報に基づいて、通信品質関連情報を生成してチャネルコーディング部２０９へ出力する。
【０１２３】
次に、基地局装置８００及び移動機９００の動作について、図３を用いて説明する。移動局Ａ及び移動局Ｂは、通信品質関連情報を含む信号Ｓ１及び信号Ｓ２を基地局装置８００へ送信する。通信品質関連情報を含む信号Ｓ１及び信号Ｓ２を受信した基地局装置８００は、通信品質関連情報、受信電力及び受信品質より移動局Ａがパケットデータを送ることを許可する信号を含む信号Ｓ３を移動局Ａへ送信する。パケットデータを送ることを許可する信号を含む信号Ｓ３を受信した移動局Ａは、信号Ｓ３に含まれる送信パラメータ情報に基づいてパケットデータの送信電力を決定し、決定した送信電力にてパケットデータを送信する。
【０１２４】
一方、移動局Ｂは、基地局装置８００から信号Ｓ３に相当する自分宛ての信号を受け取っていないため、信号Ｓ３に相当する自分宛ての信号が基地局装置８００から送られてくるまでデータに関しては送信待機の状態になる。
【０１２５】
このように、本実施の形態の基地局装置及び通信端末装置によれば、基地局装置が、通信端末装置から送られてきた送信電力情報、受信電力及び受信品質を用いて送信パラメータを算出し、算出した送信パラメータを送信パラメータ情報として通信端末装置へ送信し、通信端末装置が送信パラメータ情報に基づいて設定した送信電力によりパケットデータを送信するので、上り回線において、適切なリソース管理に基づいて通信を行うことができる。また、基地局装置から移動機へ送信電力を設定するための専用の情報を送信する必要がなく、パケットデータ生成の際に用いる送信パラメータ情報を用いて送信電力を設定するので、伝送効率を向上させることができる。また、基地局装置と移動機において、同一の送信パラメータから同一のオフセット値が設定できるようにするので、基地局装置が自らの受信電力を推定することができ、推定した受信電力を考慮した送信パラメータ情報を設定して移動機へ送信することができ、基地局装置において干渉量の少ない良好な品質のパケットデータをえることができる。
【０１２６】
（実施の形態４）
図１１は、本実施の形態４に係る移動機１１００の構成を示す図である。本実施の形態においては、送信電力指示情報により指示された送信電力が上限値以上である場合に、指示された送信電力よりも小さい送信電力にて送信してもパケットデータに誤りが生じないような送信パラメータを移動機１１００にて設定する点を特徴とするものである。
【０１２７】
本実施の形態においては、図１１において、送信パラメータ決定部１１０２及び送信パラメータ情報生成部１１０３を設ける構成が図２と相違している。なお、図２と同一構成である部分は同一の符号を付して、その説明は省略する。また、本実施の形態において、基地局装置の構成は、図１と同一構成であるので、その説明は省略する。
【０１２８】
送信電力決定部２０８は、送信電力指示情報抽出部２０７から入力した基地局装置から指示された送信電力とその他のチャネルの送信電力の和が、各移動機１１００に固有の値である送信電力の上限値以上であるか否かを判定する。そして、送信電力決定部２０８は、指示された送信電力とその他のチャネルの送信電力の和が上限値以上である場合には、指示された送信電力とその他のチャネルの送信電力の和が上限値となるように各送信電力を決定し、指示された送信電力とその他のチャネルの送信電力の和が上限値未満である場合には、指示された送信電力にすることを決定し、決定した送信電力にてパケットデータが送信されるように送信無線部２１２を制御する。なお、指示された送信電力が送信するチャネルの合計の送信電力で上限値以上である場合には、合計で上限値以下の送信電力を設定するようにしても良い。
【０１２９】
チャネルコーディング部２０９は、後述するバッファ２１４から入力したパケット送信データを、後述する送信パラメータ決定部１１０２にて決定した符号化率にて符号化して変調部２１０へ出力する。
【０１３０】
変調部２１０は、チャネルコーディング部２０９から入力したパケット送信データを、送信パラメータ決定部１１０２にて決定した変調多値数の変調方式にて変調して拡散部２１１へ出力する。
【０１３１】
拡散部２１１は、変調部２１０から入力したパケット送信データを、送信パラメータ決定部１１０２にて決定した拡散率にて拡散処理して送信無線部２１１へ出力する。
【０１３２】
バッファ２１４は、後述する送信パラメータ情報生成部１１０３から入力した送信パラメータ情報とパケットデータとを一時的に蓄積してチャネルコーディング部２０９へ出力する。
【０１３３】
送信パラメータ決定部１１０２は、条件設定情報抽出部２０６にて抽出したスケジューリング情報と送信パラメータ情報、送信電力指示情報抽出部２０７にて抽出した送信電力指示情報及び移動機１１００に固有の値である送信電力の上限値に基づいて送信パラメータを決定し、スケジューリング情報及び決定した送信パラメータを用いて、バッファ２１４、チャネルコーディング部２０９、変調部２１０及び拡散部２１１を制御する。
【０１３４】
送信電力指示情報によって指示された送信電力では、送信電力の上限を超えてしまう場合には、移動機１１００は最大でも上限値の送信電力までしか送信電力を上げることができないので、指示された送信電力と実際に設定された送信電力の差分の不足する送信電力分を、適切な送信パラメータを選択することにより補うようにする。
【０１３５】
即ち、送信電力指示情報によって指示された送信電力が送信電力の上限値以上である場合、基地局装置にてパケットデータを誤りなく復調することができるようにするためには、基地局装置から送信パラメータ情報により指示された送信パラメータを変更する必要がある。
【０１３６】
具体的には、変調多値数を基地局装置から指示された変調多値数よりも少なくしたり、符号化率を基地局装置から指示された符号化率よりも小さくしたりすることで伝送レートを基地局装置から指示された伝送レートよりも小さくする。なお、送信電力指示情報によって指示された送信電力では送信電力の上限を超えてしまう場合には、基地局装置から指示された変調多値数、符号化率を全て変更する場合に限らず、基地局装置から指示された変調多値数、符号化率のいずれか１つを変更するようにしても良いし、これに限らず拡散率や多重コード数など信号の品質に影響のあるパラメータを変更しても良い。
【０１３７】
送信パラメータ情報生成部１１０３は、送信パラメータ決定部１１０２から入力した決定した送信パラメータの情報より送信パラメータ情報を生成してバッファ２１４へ出力する。
【０１３８】
次に、移動機１１００の動作について、図１２を用いて説明する。
【０１３９】
最初に、受信データより条件設定情報抽出部２０６にて送信パラメータ情報とスケジューリング情報を抽出し、送信電力指示情報抽出部２０７にて送信電力指示情報を抽出し、ＴＰＣ抽出部２１３にてＴＰＣ情報を抽出する（ステップＳＴ１２０１）。
【０１４０】
次に、送信電力制御部２１９にて、送信電力制御により設定した送信電力にて個別チャネルの送信データの送信電力制御を行うとともに、送信電力制御により設定した送信電力の情報をチャネルコーディング部２１６へ出力して、送信電力情報として基地局装置へ送信する。
【０１４１】
次に、送信パラメータ決定部１１０２にて、基地局装置より送信電力指示情報により指示された送信電力が、送信電力の上限値以上であるか否かを判定する（ステップＳＴ１２０２）。
【０１４２】
基地局装置より指示された送信電力が上限値以上である場合は、送信電力決定部２０８にて、上限値の送信電力αを設定する（ステップＳＴ１２０３）。
【０１４３】
次に、送信電力αに応じて、送信パラメータ決定部１１０２にて基地局装置から指示された変調多値数、符号化率などを変更することで伝送レートを変更し、実際に設定する送信電力αを考慮した変調多値数、符号化率等を設定し、伝送レートを決定する（ステップＳＴ１２０４）。
【０１４４】
一方、基地局装置より指示された送信電力が上限値未満である場合は、基地局装置から指示された送信電力を設定する（ステップＳＴ１２０５）。
【０１４５】
次に、基地局装置から指示された変調多値数、符号化率及び伝送レートをそのまま設定する（ステップＳＴ１２０６）。
【０１４６】
次に、送信パラメータ情報生成部１１０３にて、設定した送信パラメータの情報を生成する（ステップＳＴ１２０７）。
【０１４７】
次に、設定した送信パラメータに基づいて、パケット送信データをチャネルコーディング部２０９にて符号化処理し、変調部２１０にて変調処理し、拡散部２１１にて拡散処理する（ステップＳＴ１２０８）。
【０１４８】
次に、送信無線部２１２にてアップコンバート等の処理を施されたパケット送信データをアンテナ２０１より送信する（ステップＳＴ１２０９）。
【０１４９】
このように、本実施の形態の基地局装置及び通信端末装置によれば、上記実施の形態１の効果に加えて、基地局装置より指示された送信電力が、移動機の送信電力の上限値以上の場合には、指示された送信電力よりも小さい送信電力にてパケットデータを送信しても基地局装置にて所望の受信品質にてパケットデータを復調することができるような送信パラメータを設定するので、受信側におけるパケットデータの誤り率特性を向上させることができる。
【０１５０】
なお、本実施の形態においては、図１と同一構成の基地局装置と通信を行うこととしたが、これに限らず、図５または図８と同一構成の基地局装置と通信するようにしても良い。
【０１５１】
（実施の形態５）
図１３は、本実施の形態５に係る移動機１３００の構成を示す図である。本実施の形態においては、移動機１３００は、送信電力指示情報により指示された送信電力では送信可能な電力値以上になってしまう場合にはパケットデータの送信を中止し、送信電力指示情報により指示された送信電力が上限値未満である場合には基地局装置から指示された送信パラメータ情報をパイロット信号としてパケットデータを送信する点を特徴とするものである。
【０１５２】
本実施の形態においては、図１３において、制御部１３０１を設ける構成が図２と相違している。なお、図２と同一構成である部分は同一の符号を付して、その説明は省略する。また、本実施の形態において、基地局装置の構成は、図１と同一構成であるので、その説明は省略する。
【０１５３】
制御部１３０１は、送信電力指示情報抽出部２０７から入力した送信電力指示情報により基地局装置から指示された送信電力と移動機１３００に固有の値である送信電力の上限値とを比較し、基地局装置より指示された送信電力が上限値以上である場合には、パケットデータを出力しないようにバッファ２１４を制御する。
【０１５４】
バッファ２１４は、パケット送信データと条件設定情報抽出部２０６から入力した送信パラメータ情報とを一時的に蓄積し、各パケットデータに送信パラメータ情報を挿入して、所定の送信タイミングにてチャネルコーディング部２０９へ出力する。また、バッファ２１４は、制御部１３０１から送信を中止するように制御された場合には、パケットデータの出力を中止する。
【０１５５】
移動機１３００から送信されたパイロットとしての送信パラメータ情報を含むパケットデータを受信した基地局装置１００は、移動機１３００へ送信した送信パラメータを記憶しているので復調部１１７−１〜１１７−ｎにて送信パラメータ情報を検出することができ、これによりパケットデータの先頭を検出することができるのでパケットデータを復調することができる。
【０１５６】
次に、移動機１３００の動作について、図１４を用いて説明する。
【０１５７】
最初に、受信データより条件設定情報抽出部２０６にて送信パラメータ情報とスケジューリング情報を抽出し、送信電力指示情報抽出部２０７にて送信電力指示情報を抽出し、ＴＰＣ抽出部２１３にてＴＰＣ情報を抽出する（ステップＳＴ１４０１）。
【０１５８】
次に、送信電力制御部２１９にて、送信電力制御により設定した送信電力にて個別チャネルの送信データの送信電力制御を行うとともに、送信電力制御により設定した送信電力の情報をチャネルコーディング部２１６へ出力して、送信電力情報として基地局装置へ送信する。
【０１５９】
次に、送信電力決定部２０８にて基地局装置により指示された送信電力をそのまま送信電力にすることを決定する（ステップＳＴ１４０２）。
【０１６０】
次に、バッファ２１４は、条件設定情報抽出部２０６にて抽出した送信パラメータの情報をパケットデータに挿入する（ステップＳＴ１４０３）。
【０１６１】
次に、制御部１３０１は、基地局装置より送信電力指示情報により指示された送信電力が、送信電力の上限値以上であるか否かを判定する（ステップＳＴ１４０４）。
【０１６２】
基地局装置より指示された送信電力が上限値未満である場合は、基地局装置から指示された変調多値数、符号化率及び伝送レートをそのまま用いて、パケット送信データをチャネルコーディング部２０９にて符号化処理し、変調部２１０にて変調処理し、拡散部２１１にて拡散処理する（ステップＳＴ１４０５）。
【０１６３】
次に、送信無線部２１２にてアップコンバート等の処理を施されたパケット送信データをアンテナ２０１より送信する（ステップＳＴ１４０６）。
【０１６４】
一方、基地局装置より指示された送信電力が上限値以上である場合は、制御部１３０１にて、パケットデータを送信しないように制御する（ステップＳＴ１４０７）。
【０１６５】
このように、本実施の形態の基地局装置及び通信端末装置によれば、上記実施の形態１の効果に加えて、基地局装置より指示された送信電力が移動機の送信電力の上限値以上の場合には、パケットデータ送信しないように制御するので、指示された送信電力よりも小さい送信電力にてパケットデータを送信してしまうことを防ぐことができ、パケットデータを確実に復調することができる。また、送信パラメータの情報は基地局が送信しているので、基地局はそれを知っているのでそれを用いてパイロット信号のように使用したり、復号の際の既知ビットとして使用したりすることも可能である。復号の際の既知ビットとして使用するためには、この送信パラメータは符号化の際にそのように符号化する必要がある。また、本実施の形態の基地局装置及び通信端末装置によれば、基地局装置より指示された送信電力が移動機の送信電力の上限値未満の場合で、送信パラメータ情報のビットパターンが、特定の通信相手同士でのみ既知である場合には、基地局装置から指示された送信パラメータ情報をそのまま用いてパイロット信号を生成するので、特定の通信相手同士以外の第三者が各パケットデータの先頭を検出することが困難になるためにパケットデータを復調することが困難になり、パケットデータの内容を秘匿することができる。
【０１６６】
（実施の形態６）
図１５は、本実施の形態６に係る移動機１５００の構成を示す図である。本実施の形態においては、移動機１５００は、送信電力指示情報により指示された送信電力が上限値未満である場合に送信電力を高くするとともに、必要に応じて基地局装置から指示された送信パラメータを変更して送信パラメータを設定する点を特徴とするものである。
【０１６７】
本実施の形態においては、図１５において、選択部１５０１及び送信パラメータ情報生成部１５０２を設ける構成が図２と相違している。なお、図２と同一構成である部分は同一の符号を付して、その説明を省略する。また、本実施の形態において、基地局装置の構成は、図１と同一構成であるので、その説明は省略する。
【０１６８】
送信電力決定部２０８は、パケットデータを選択部１５０１にて決定した送信電力にて送信することを決定し、決定した送信電力にてパケットデータが送信されるように送信無線部２１２を制御する。
【０１６９】
バッファ２１４は、後述する送信パラメータ情報生成部１５０２から入力した送信パラメータ情報とパケットデータとを一時的に蓄積してチャネルコーディング部２０９へ出力する。
【０１７０】
選択部１５０１は、基地局装置より送信電力指示情報として指示された送信電力と移動機１５００に固有の送信電力の上限値とを比較し、基地局装置より指示された送信電力が上限値未満である場合には送信電力を上げることを決定する。さらに、選択部１５０１は、送信電力と送信パラメータとの参照テーブルを用いることにより決定した送信電力に応じた送信パラメータとするかまたは基地局装置から指示された送信パラメータとするかの選択を行う。
【０１７１】
そして、選択部１５０１は、設定した送信電力情報を送信電力決定部２０８へ出力するとともに、選択した送信パラメータの情報の符号化率情報をチャネルコーディング部２０９へ出力し、変調方式情報を変調部２１０へ出力し、拡散率情報を拡散部２１１へ出力する。なお、選択部１５０１は、送信電力が上限値未満の場合には送信電力を上げることとしたが、これに限らず送信電力を上げずに送信パラメータを変更するのみとしても良い。
【０１７２】
送信パラメータ情報生成部１５０２は、選択部１５０１から入力した決定した送信パラメータの情報より送信パラメータ情報を生成してバッファ２１４へ出力する。
【０１７３】
次に、移動機１５００の動作について、図１６を用いて説明する。
【０１７４】
最初に、受信データより条件設定情報抽出部２０６にて送信パラメータ情報とスケジューリング情報を抽出し、送信電力指示情報抽出部２０７にて送信電力指示情報を抽出し、ＴＰＣ抽出部２１３にてＴＰＣ情報を抽出する（ステップＳＴ１６０１）。
【０１７５】
次に、送信電力制御部２１９にて、送信電力制御により設定した送信電力にて個別チャネルの送信データの送信電力制御を行うとともに、送信電力制御により設定した送信電力の情報をチャネルコーディング部２１６へ出力して、送信電力情報として基地局装置へ送信する。
【０１７６】
次に、選択部１５０１にて、基地局装置より送信電力指示情報により指示された送信電力が、送信電力の上限値以上であるか否かを判定する（ステップＳＴ１６０２）。
【０１７７】
指示された送信電力が上限値未満である場合には、選択部１５０１にて指示された送信電力βを設定し（ステップＳＴ１６０３）、選択部１５０１にて指示された送信電力βに応じた送信パラメータを決定する（ステップＳＴ１６０４）。
【０１７８】
一方、ステップＳＴ１６０２において、指示された送信電力が上限値以上である場合には、選択部１５０１にて上限値である送信電力βを設定し（ステップＳＴ１６０５）、選択部１５０１にて送信電力γに応じた送信パラメータを決定する（ステップＳＴ１６０６）。なお、この場合に、選択部１５０１は、上限値以下の送信電力を設定するようにしても良い。
【０１７９】
次に、送信パラメータ情報生成部１５０２にて、設定した送信パラメータの情報を生成する（ステップＳＴ１６０７）。
【０１８０】
次に、設定した送信パラメータに基づいて、パケット送信データをチャネルコーディング部２０９にて符号化処理し、変調部２１０にて変調処理し、拡散部２１１にて拡散処理する（ステップＳＴ１６０８）。
【０１８１】
次に、送信無線部２１２にてアップコンバート等の処理を施されたパケット送信データをアンテナ２０１より送信する（ステップＳＴ１６０９）。
【０１８２】
このように、本実施の形態の基地局装置及び通信端末装置によれば、上記実施の形態１の効果に加えて、基地局装置により指示された送信電力が上限値未満の場合には、送信電力を大きくすることを決定し、決定した送信電力に応じた送信パラメータを用いて符号化処理、変調処理及び拡散処理等を行うので、指示された送信パラメータをそのまま用いた場合には、回線品質が急激に変動しても受信側にて誤りなくパケットデータを復調することができるとともに、指示された送信パラメータと異なる送信パラメータを設定する場合には、送信電力を大きくした分だけ指示された変調多値数よりも大きな変調多値数の変調方式を選択するかまたは指示された符号化率よりも大きな符号化率を選択することができるため、誤り率特性を劣化させずに伝送効率を向上させることができる。
【０１８３】
なお、本実施の形態においては、基地局装置が指定した送信電力でパケットデータを送信することとしたが、これに限らず、基地局装置が指定した送信電力以下であってかつ送信可能な送信電力でパケットデータを送信してもよいとすることも可能である。このようにすることでその他の移動局の信号への干渉を軽減することも可能である。
【０１８４】
（実施の形態７）
図１７は、本実施の形態７に係る基地局装置１７００の構成を示す図であり、図１８は、本実施の形態に係る条件設定部１７０２の構成を示す図である。本実施の形態においては、基地局装置１７００は、所定時間内に測定した受信電力を用いてパケットデータを送信する時の個別制御チャネルの送信電力を推定し、推定した送信電力を考慮して送信電力指示情報を生成する点を特徴とするものである。
【０１８５】
本実施の形態においては、図１７において、送信電力変動推定部１７０１を設ける構成が図１と相違している。なお、図１と同一構成である部分は同一の符号を付して、その説明を省略する。また、本実施の形態において、移動機の構成は、図２と同一構成であるので、その説明は省略する。
【０１８６】
送信電力変動推定部１７０１は、受信電力計測部１０７から入力した所定の時刻毎の受信ＳＩＲを用いてＴＰＣビットを生成する。そして、送信電力変動算出部１７０１は、データ送信時までに変動しうる個別チャネルの上限値（以下「推定個別チャネル送信電力上限値」と記載する）を算出し、算出した個別制御チャネルの送信電力の上昇分の情報を条件設定部１７０２へ出力する。
【０１８７】
条件設定部１７０２は、受信電力計測部１０７から入力した受信電力、送信電力情報抽出部１０６から入力した送信電力情報に基づいて、各移動機２００から送信可能な移動局を決めるスケジューリングとスケジューリングされた移動機２００が送信データを生成する時に用いる送信パラメータの決定を行う。
【０１８８】
また、条件設定部１７０２は、送信電力情報抽出部１０６から入力した送信電力情報と受信電力計測部１０７から入力した受信電力を用いてＳＩＲを算出し、算出したＳＩＲ、送信電力情報及び送信電力変動推定部１７０１から入力した個別制御チャネルの送信電力の上昇分の情報を用いてパケットデータの送信電力を決定する。
【０１８９】
そして、条件設定部１７０２は、スケジューリング結果を対応する移動局のチャネルコーディング部１１１−１〜１１１−ｎへ出力する。さらに、条件設定部１７０２は、算出した送信パラメータ情報をチャネルコーディング部１１１−１〜１１１−ｎへ出力する。送信パラメータ情報は、変調方式及び符号化率の情報であるが、変調方式及び符号化率の情報に限らず、他のパラメータ情報であっても良い。また、ここでは移動局に個別にスケジューリング情報が伝えられているが、共通制御チャネルで送信しても良い。
【０１９０】
次に、条件設定部１７０２の構成について、図１８を用いて説明する。なお、図１８において、図３と同一構成である部分は同一の符号を付して、その説明は省略する。
【０１９１】
送信電力算出部１８０１は、送信パラメータとパケットデータのＳＩＲとの参照テーブルを用いて送信パラメータ決定部３０４から入力した送信パラメータの情報より、パケットデータの所要ＳＩＲを求める。送信電力算出部３０５は、ＳＩＲ算出部３０２から入力した個別チャネルのＳＩＲと求めたパケットデータの所要ＳＩＲとを比較して、パケットデータの送信電力は個別チャネルの送信電力に対して何ｄＢ不足しているかのオフセット値を計算して、送信電力情報抽出部１０６から入力した個別チャネルの送信電力に計算したオフセット値を加算してパケットデータの送信電力を決定する。そして、送信電力算出部３０５は、求めたパケットデータの送信電力を送信電力指示情報としてチャネルコーディング部１１１−１〜１１１−ｎとスケジューリング部３０３へ出力する。また、送信電力算出部１８０１は、送信電力変動推定部１７０１より入力した推定個別チャネル送信電力上限値に基づいて、移動機がパケットデータを送信する際に送信電力が不足しないようなパケットデータの送信電力を決定する。即ち、パケットデータの送信電力決定の際に送信電力制御による送信電力の上昇分を考慮しない場合は、移動機が実際にパケットデータを送信する際に、送信電力制御によりパケットデータを送信するために使える電力が足りなくなっている可能性があるので、基地局装置は送信電力制御によって増加される送信電力の最大値である推定個別チャネル送信電力上限値をあらかじめ推定し、パケットデータの送信電力を決定する際に推定個別チャネル送信電力上限値をパケットデータ以外のデータの送信電力として考えておけば、パケットデータの送信電力が不足することはない。そして、このように決定された送信電力の情報は、スケジューリング部３０３へも出力される。
【０１９２】
送信パラメータ決定部３０４は、送信電力情報抽出部１０６から入力した個別チャネルの送信電力と各移動機２００における送信電力の上限値とを用いてパケットデータの送信電力の上限値を求める。そして、送信パラメータ決定部３０４は、パケットデータの送信電力の上限値を超えない範囲にてパケットデータの送信電力を用いて干渉量が変化しないとした場合のパケットデータのＳＩＲを求める。送信パラメータ決定部３０４は、パケットデータのＳＩＲと送信パラメータとの参照テーブルを用いて求めたパケットデータのＳＩＲより送信パラメータを決定し、決定した送信パラメータの情報を送信電力算出部１８０１へ出力する。
【０１９３】
次に、パケットデータの送信電力の設定において推定残り送信電力を考慮する場合と考慮しない場合について、図１９を用いて説明する。
【０１９４】
図１９（ａ）は、推定残り送信電力を考慮しない場合の送信電力指示情報の設定時とパケットデータ送信時とにおける送信電力を示したものであり、図１９（ｂ）は、推定残り送信電力を考慮した場合の送信電力指示情報の設定時とパケットデータ送信時とにおける送信電力を示したものである。
【０１９５】
最初に、推定残り送信電力を考慮しない場合について、図１９（ａ）を用いて説明する。基地局装置における送信電力指示情報設定時は、移動機から通知された送信電力情報より個別制御チャネルは電力量＃１の送信電力にて制御信号を送信するものであり、基地局装置は、送信電力の上限値を超えないように送信電力を指示する必要があるため、パケットデータの送信電力は電力量＃３の範囲内にて設定する必要がある。
【０１９６】
一方、移動機におけるパケットデータ送信時に、伝搬環境の変化等により例えば個別制御チャネルは送信電力制御により電力量（＃１＋＃２）の送信電力にて制御信号を送信する状態になっていた場合には、パケットデータの送信電力は電力量＃４（＃３＞＃４）しか設定できない。しかし、基地局装置が、パケットデータの送信電力として電力量＃４より大きくかつ電力量＃３以下の送信電力を設定した場合には、パケットデータの送信電力は電力量（＃３−＃４）だけ不足することになる。このような送信電力が不足した状態でパケットデータを送信した場合には、パケットデータの誤り率特性が劣化する。
【０１９７】
次に、推定残り送信電力を考慮する場合について、図１９（ｂ）を用いて説明する。基地局装置における送信電力設定時、基地局装置は、移動機から通知された送信電力情報より個別チャネルは電力量＃１の送信電力にて制御信号を送信するものであり、さらに、送信電力変動推定部１７０１は、パケットデータ送信時には個別チャネルは送信電力制御により電力量（＃１＋＃２）の送信電力にて個別チャネルの送信信号を送信するものと推定し、上限値から電力量（＃１＋＃２）を減算した推定残り送信電力の電力量＃４の範囲内にて設定した送信電力を送信電力指示情報として移動機に指示する。そして、基地局装置は、電力量＃４の範囲内にてパケットデータの送信電力が設定された場合には、電力量＃４の範囲内にて送信電力が設定されても誤り率特性が劣化しないような送信パラメータを設定し、設定した送信パラメータの情報を移動機に通知する。
【０１９８】
一方、移動機におけるパケットデータ送信時、移動機は、個別制御チャネルの送信電力は送信電力制御により電力量（＃１＋＃２）になるためパケットデータの送信電力は電力量＃４の範囲内で設定することになるが、送信電力指示情報の生成時に上昇分の電力量＃２を考慮した電力量＃４の範囲内にて送信電力指示情報を生成しているため、パケットデータの送信時に電力量が不足することがなく、パケットデータの誤り率特性の劣化を防ぐことができる。
【０１９９】
なお、上記実施の形態１から実施の形態７においては、移動機から送られてきた送信電力情報または通信品質関連情報を用いて各移動機における送信電力を算出することとしたが、移動機から送られてきた送信電力情報または通信品質関連情報を用いて各移動機における送信電力を算出する場合に限らず、移動機から送られてくる通信品質を示す情報、例えばＣＱＩ等を用いて送信電力を算出するようにしても良く、送信電力を算出するために必要な情報であれば良い。また、上記実施の形態１〜７において、基地局で用いる情報として、個別チャネルの受信電力やＳＩＲを使用しているが、これに限らず、ＳＩＲの代わりにＣＩＲ等のその他の品質情報を用いても良く、送信電力を算出するために必要な情報であれば良い。また、上記の実施の形態１〜７を組み合わせることも可能である。
【０２００】
【発明の効果】
以上説明したように、本発明によれば、上り回線において、適切なリソース管理に基づいて通信を行うことができる。
【図面の簡単な説明】
【図１】本発明の実施の形態１に係る基地局装置の構成を示すブロック図
【図２】本発明の実施の形態１に係る通信端末装置の構成を示すブロック図
【図３】条件設定部の構成を示すブロック図
【図４】基地局装置と移動機の動作を説明するための図
【図５】本発明の実施の形態２に係る基地局装置の構成を示すブロック図
【図６】本発明の実施の形態２に係る通信端末装置の構成を示すブロック図
【図７】条件設定部の構成を示すブロック図
【図８】本発明の実施の形態３に係る基地局装置の構成を示すブロック図
【図９】本発明の実施の形態３に係る通信端末装置の構成を示すブロック図
【図１０】条件設定部の構成を示すブロック図
【図１１】本発明の実施の形態４に係る移動機の構成を示すブロック図
【図１２】本発明の実施の形態４に係る移動機の動作を示すフロー図
【図１３】本発明の実施の形態５に係る移動機の構成を示すブロック図
【図１４】本発明の実施の形態５に係る移動機の動作を示すフロー図
【図１５】本発明の実施の形態６に係る移動機の構成を示すブロック図
【図１６】本発明の実施の形態６に係る移動機の動作を示すフロー図
【図１７】本発明の実施の形態７に係る基地局装置の構成を示すブロック図
【図１８】本発明の実施の形態７に係る条件設定部の構成を示すブロック図
【図１９】送信電力の設定を説明するための図
【符号の説明】
１００、５００、８００  基地局装置
１０５−１〜１０５−ｎ  チャネルコーディング部
１０６  送信電力情報抽出部
１０８  条件設定部
１１１−１〜１１１−ｎ  チャネルコーディング部
２０５  チャネルコーディング部
２０６  条件設定情報抽出部
２０７  送信電力指示情報抽出部
２０８  送信電力決定部
２０９  チャネルコーディング部
２１０  変調部
【図１】
2004187247.tif 000003
【図２】
2004187247.tif 000004
【図３】
2004187247.tif 000005
【図４】
2004187247.tif 000006
【図５】
2004187247.tif 000007
【図６】
2004187247.tif 000008
【図７】
2004187247.tif 000009
【図８】
2004187247.tif 000010
【図９】
2004187247.tif 000011
【図１０】
2004187247.tif 000012
【図１１】
2004187247.tif 000013
【図１２】
2004187247.tif 000014
【図１３】
2004187247.tif 000015
【図１４】
2004187247.tif 000016
【図１５】
2004187247.tif 000017
【図１６】
2004187247.tif 000018
【図１７】
2004187247.tif 000019
【図１８】
2004187247.tif 000020
【図１９】
2004187247.tif 000021